(57)【特許請求の範囲】
【請求項１】
浴槽本体の底部取付部に取り付けられる取付部と、前記取付部の下面に固着された低反発性のゴム発泡体と、前記ゴム発泡体内に埋設された複数のコイルスプリングとで構成されており、
前記取付部は、ネジ棒と、前記ネジ棒がその中央部に取り付けられ、その下面が開口したフランジとを有しており、
前記ゴム発泡体は、前記フランジ内に嵌め込まれて固着されており、
複数の前記コイルスプリングは、同一平面内にて前記フランジの中央部を中心とする同心円上で平面状に配置されている事を特徴とする浴槽用制振機構。
【請求項２】
浴槽本体と、浴槽本体の底部取付部に取り付けられた制振機構とで構成された制振機構付き浴槽であって、
前記制振機構が、低反発性のゴム発泡体と、前記ゴム発泡体内に埋設された複数のコイルスプリングと、前記ゴム発泡体を前記浴槽本体の前記底部取付部に取り付けるための取付部とで構成されており、
前記取付部は、ネジ棒と、前記ネジ棒がその中央部に取り付けられ、その下面が開口したフランジとを有しており、
前記ゴム発泡体は、前記フランジ内に嵌め込まれて固着されており、
複数の前記コイルスプリングは、同一平面内にて前記フランジの中央部を中心とする同心円上で平面状に配置されている事を特徴とする制振機構付き浴槽。
【発明の詳細な説明】
【０００１】
【発明の属する技術分野】
本発明は、入浴中の振動、特に泡風呂にするために高圧エアを湯に吹き込んだり強い水流を起こさせた場合に発生する振動が床に伝わるのを防止する制振機構付きの浴槽に関するものである。
【０００２】
【従来の技術】
近年、健康志向から浴槽内に高圧エアを吹き込んで大量の気泡を発生させ、且つ強い水流を湯中に起こさせ、入浴中にこれらの刺激を受けて血行増進を図るという気泡バスが普及してきている。このような気泡バスでは、前記高圧エアの噴射による振動が浴槽に生じ、これが床に伝達し更には建物全体に伝播する。
【０００３】
特にマンション等の集合住宅やホテル等の宿泊施設では、他室にまで振動が伝わり、迷惑をかけてしまう。そこで、床上に設置される浴槽本体の振動が床に伝わらないように、浴槽本体の脚部にゴムやスプリング等の制振部材が取り付けられることがある。
【０００４】
このような浴槽用の制振機構としては、スペースの関係から出来る限り低いものが要求されるし、縦波（垂直方向）振動だけでなく横波（水平方向）振動にも対応できるようにすることが要求されるし、更には入浴中に浴槽本体がゆらゆら揺れないようにある程度大きなバネ定数と大きな振動減衰能も要求される。
【０００５】
そこで浴槽の振動制振用としてゴムを使用した場合には確かに減衰効果が大きく浴槽本体の揺れは少なくなり且つ共振しないので周波数によって振動が増幅されると言うようなスプリング特有の問題点を生じるような事はないが、防振効果は小さく振動が床に伝わりやすい。しかも、柔軟なものを使用しても撓み量全体の１５％程度と非常に小さく、しかも撓ませると硬くなり振動が床に伝わりやすくなる。
【０００６】
又、反対にスプリングを使用した場合にはその逆で、防振効果は大きいが、減衰効果は小さく浴槽本体の揺れが収まり難いために入浴者は不快な揺れを感じることとなる。加えて、制御すべき振動の周波数が共振点に近い場合、共振して振動を却って増幅してしまうというスプリング特有の問題点もある。しかもスプリングは垂直方向の振動をよく吸収するが、水平方向の振動には弱く、甚だしい場合には座屈を起こすおそれがあり、しかも水平方向の振動吸収能は小さい。
【０００７】
そこで、減衰効果と防振効果が共に優れた制振部材として、従来ではゴム柱の中にスプリングを埋め込むように配した制振部材等が提案されているが、機械設備用としてはある程度減衰効果と防振効果の両方を満足しているものの、浴槽用としては不十分であり、以下のような問題点が指摘されていた。
【０００８】
▲１▼前述のようにゴムの伸縮はスプリングの伸縮に比べて極めて小さい（圧縮変形許容が小さい）ため大きく撓む事ができず、スプリングに期待される十分な撓み量が取れない事、▲２▼逆に、十分な撓み量を確保するには全長が長くなってしまい、スペース的に問題がある事、▲３▼ゴムのバネ定数がスプリングのバネ定数に加算されるため、スプリングの設計が難しくなる事、▲４▼通常のブチルゴムのような部材では、減衰能が意外に小さく、十分な減衰効果を期待出来なかった事、等が指摘されており、ゴムとスプリングを組み合わせたとしても両者の長所が有効に補完的に機能することができず、その結果このような制振部材は浴槽用として期待通りの十分な防振・減衰効果を発揮することはできなかった。
【０００９】
【発明が解決しようとする課題】
従来にも増して減衰効果と防振効果とが共に優れた浴槽用制振部材の開発と該制振機構が装着された浴槽を開発する事が本発明の解決課題である。
【００１０】
【課題を解決するための手段】
請求項１に記載の浴槽用制振機構(A)は「浴槽本体(1)の底部取付部(2)に取り付けられる取付部(3)と、取付部(3)の下面に固着された低反発性のゴム発泡体(4)と、ゴム発泡体(4)内に埋設された複数のコイルスプリング(5)とで構成されており、
取付部する(3)は、ネジ棒(7)と、ネジ棒(7)がその中央部に取り付けられ、その下面が開口したフランジ(8)とを有しており、
ゴム発泡体(4)は、フランジ(8)内に嵌め込まれて固着されており、
複数のコイルスプリング(5)は、同一平面内にてフランジ(8)の中央部を中心とする同心円上で平面状に配置されている」事を特徴とする。
【００１１】
これによれば、ゴムの発泡体(4)は従来のゴム材よりも伸縮率が大きく（換言すれば、従来のゴムと異なり撓み量が大きく取れ）、逆にバネ定数は非常に小さいので、ゴム発泡体(4)の中にコイルスプリング(5)を埋設して使用した場合、ゴム発泡体(4)のバネ定数を考慮する必要がなく、コイルスプリング(5)は裸のコイルスプリング(5)と同様の設計通りの性能をほぼ発揮する事が可能となり、有効に機能するようになる。しかも、低反発性を有するゴム発泡体(4)であれば減衰効果も大きい。したがって、減衰効果と防振効果が共に優れ、従来例とは全く異なる浴槽用の制振部材とすることができる。
【００１３】
また、複数のコイルスプリング(5)が同一平面内にて取付部(3)を中心としてその周囲に配設されているため、平面的に広がった状態で配置されているようになり、水平方向の振動（横波）を受けても座屈を起こすようなことがない。しかも、複数のコイルスプリング(5)で荷重を支えることになるので、全高も低く抑えられ、浴槽用としては最適のものとなる。
【００１４】
「請求項２」は前記制振機構(A)が装着された浴槽であって「浴槽本体(1)と、浴槽本体(1)の底部取付部(2)に取り付けられた制振機構(A)とで構成された制振機構付き浴槽であって、
前記制振機構(A)が、低反発性のゴム発泡体(4)と、前記ゴム発泡体(4)内に埋設されたコイルスプリング(5)と、前記ゴム発泡体(4)を前記浴槽本体(1)の前記底部取付部(2)に取り付けるための取付部(3)とで構成されており、
取付部する(3)は、ネジ棒(7)と、ネジ棒(7)がその中央部に取り付けられ、その下面が開口したフランジ(8)とを有しており、
ゴム発泡体(4)は、フランジ(8)内に嵌め込まれて固着されており、
複数のコイルスプリング(5)は、同一平面内にてフランジ(8)の中央部を中心とする同心円上で平面状に配置されている」事を特徴とする。
【００１５】
これによれば、本発明にかかる制振機構(A)が装着されているので、浴槽本体(1)に例えば高圧エア噴出装置(6)を設置して高圧エアを湯中に噴射させたとしても、そのことにより発生した振動は制振機構(A)にて効果的に吸収されて床に殆ど伝達されない。
【００１７】
また、前述のように複数のコイルスプリング(5)が同一平面内にて取付部(3)を中心としてその周囲に配設されるようになるため、平面的に広がった状態で配置されているようになり、水平方向の振動（横波）を受けても座屈を起こすようなことがない。しかも、複数のコイルスプリング(5)で荷重を支えることになるので、全高も低く抑えられ、浴槽用としては最適のものとなる。
【００１８】
【発明の実施の形態】
以下、本発明を好適な実施例を用いて説明する。図１は本実施例の制振機構(A)を浴槽本体(1)の四隅の底部取付部(2)に装着した斜視図であり、図２、３は制振機構(A)の縦断面図及び底面図で、大別して取付部(3)、ゴム発泡体(4)及び複数のコイルスプリング(5)で構成されている。
【００１９】
取付部(3)は、ネジ棒(7)、ネジ棒(7)の下端に固着された浅い皿状で下面が開口したフランジ(8)と、固着ナット(9)(10)とで構成されている。フランジ(8)の中央には通孔(12)が穿設されており、ネジ棒(7)の下端部を通孔(12)に挿入し、ネジ棒(7)の下端部に形成された鍔部(11)と一方の固着ナット(10)とで挟着されている。勿論、固着ナット(10)を利用せず、溶接或いはカシメ固定としてもよい。
【００２０】
(4)は低反発性を有した円板形のゴム発泡体で、その約上半分がフランジ(8)内にはめ込まれて固着されており、中央部に固着ナット(10)がはまり込む円形空間部(13)があり、その周囲に複数（本実施例では８本）のコイルスプリング(5)が同心円上に配設されている。そして、更に各コイルスプリング(5)の中心にあわせてゴム発泡体(4)に細孔(14)が穿設されている。
【００２１】
ゴム発泡体(4)は低反発性を有する特殊なもので、粘性を持ち且つ形状復元性を達成するのに必要な弾性とを具備する。従って、粘性から大きな振動減衰能力が付与され、弾性によってたとえ変形しても元の形状に復帰する能力を有する。
【００２２】
本発明の場合はこれに加えて発泡しているので伸縮率が大きく、コイルスプリング(5)の伸縮を妨げにくいので、スプリング(5)が十分に機能し、ゴム発泡体(4)による減衰効果とコイルスプリング(5)による防振効果を同時に得ることができる。その機械特性は、硬さ（ＪＩＳ−Ａ）；２５〜６５、引っ張り強さ（ＭＰａ）；６〜１６、伸び（％）；２００〜７００、反発弾性；２〜８である。ちなみに、天然ゴムでは、反発弾性；４０〜９０であり、１０分の１以下の反発弾性しかない。このゴム発泡体(4)はノルボルネンゴム或いはブチルゴムを主体として形成されている。
【００２３】
次に、本発明にかかる制振機構(A)の浴槽本体(1)への取り付けに付いて説明すれば、図２に示すように浴槽本体(1)の四隅の底部取付部(2)の挿通ネジ孔(15)にネジ棒(7)をねじ込むと共に高さを調整し、固着ナット(9)でロックする。
【００２４】
次に、制振機構(A)付き浴槽の作用に付いて説明する。図１のように浴槽本体(1)内に湯を張り、高圧エア噴出装置(6)を作動させる。噴出口(6a)から高圧エアが勢いよく湯中に噴出され、大量の泡を形成する共に湯をかき混ぜる。この時、激しい振動が発生し、浴槽本体(1)を振動させる事になるが、取付部(3)を伝ってゴム発泡体(4)に至ると、ゴム発泡体(4)の優れた減衰能により床への振動伝達を殆ど遮断する。同時に前記振動は内部に埋設されているコイルスプリング(5)で吸収される。
【００２５】
この時、前記振動には高周波から低周波まで各種周波数の振動が含まれているが、コイルスプリング(5)がゴム発泡体(4)内に埋設されているので、コイルスプリング(5)の固有振動数に近い周波数の振動が入力しても共振してサージングを生じるようなことはない。
【００２６】
また、垂直方向の振動のみならず、横方向の振動も浴槽本体(1)に加わるが、複数のコイルスプリング(5)はネジ棒(7)を中心にその周囲に同心円上にて平面状に配設されているため、座屈するようなことがない。従って、本発明に係る制振機構(A)を浴槽本体(1)に装着しておけば、いかなる振動もほぼ完全に遮断して床への伝達を防止することが出来、他室にまで振動が伝わることを極力抑制したいマンション等の集合住宅やホテル等の宿泊施設に最適である。
【００２７】
【発明の効果】
以上述べたように本発明に係る浴槽用の制振部材では、低反発性ゴム発泡体内にコイルスプリングを埋設して使用しているので、コイルスプリングの性能をほぼそのまま発揮させることが出来、且つ低反発性ゴム発泡体による優れた減衰効果も発揮させることが出来る。従って、従来例とは全く異なる優れた減衰効果と防振効果を発揮させることが出来る。
【００２８】
更に、複数のコイルスプリングを取付部の周囲に配設することによって、コイルスプリングが同一平面内にて平面的に広がった状態で配置されているようになり、水平方向の振動（横波）を受けても座屈を起こすようなことがない。しかも、複数のコイルスプリングで荷重を支えることになるので、全高も低く抑えられ、浴槽用としては最適のものとなる。
【００２９】
このような制振機構が装着された浴槽にあっては、例えばマンションやホテルのように防音性や振動遮断性を非常に重要視する建物に最適であり、たとえ浴槽内で高圧エア噴出装置を作動させて泡風呂を楽しんだとしても周囲の迷惑にならない。
【図面の簡単な説明】
【図１】本実施例の制振機構付き浴槽の斜視図
【図２】本発明に係る制振機構の縦断面図
【図３】図２の底面図
【符号の説明】
(A) 制振機構
(1) 浴槽本体
(2) 底部取付部
(3) 取付部
(4) ゴム発泡体
(5) コイルスプリング
(6) 高圧エア噴出装置
【図１】
0004129326.tif 000002
【図２】
0004129326.tif 000003
【図３】
0004129326.tif 000004